(57)【特許請求の範囲】
【請求項１】
複数のセクタに区分けされているトラックを有するディスクにデータを連続的に記録し、編集するディスクデータ連続記録編集装置であって、
前記データを記録する前記セクタ或いは前記トラックの、編集データ格納用の領域を設けつつ、前記データを記録するデータ記録手段と、
前記データに追加のデータを付加後、前記データを編集するときに基準となるディスク上の特定場所として編集ポイントを設定し、この編集ポイントから所定時間内に再生可能な空白セクタ或いは空白トラックに編集ポイントに在るデータを複写して編集するデータ編集手段と、
を備えたことを特徴とするディスクデータ連続記録編集装置。
【請求項２】
ディスクにデータを記録編集するために、コンピュータを、
ディスク記録容量を把握するディスク容量把握手段、
データを格納する分割領域であるセクタサイズを把握するセクタサイズ把握手段、
記録するデータサイズを把握するデータサイズ把握手段、
前記データを１つのセクタ内に分割データとして格納するときに、前記セクタ内に前記データを格納しない領域である空領域を設定し、前記ディスク記録容量および前記セクタサイズならびに前記データサイズに応じて、前記分割データの分割サイズおよび前記空領域のサイズを設定して、前記データを処理するデータ分割サイズ処理手段、
前記分割データを前記セクタに記録する記録手段、
前記分割データを編集するときに、前記空領域を利用して編集する編集手段、
として機能させるディスクデータ連続記録編集プログラム。
【発明の詳細な説明】
【０００１】
【発明の属する技術分野】
本発明は、光ディスク等のディスク状の記録メディアに関連し、再生する際に連続性が必要とされる映像データ等のデータを記録、編集するディスクデータ連続記録編集装置およびディスクデータ連続記録編集プログラムに関する。
【０００２】
【従来の技術】
一般に、半導体レーザを用いて記録、再生する光ディスク等の記録メディアが普及している。これらの記録メディアでは、従来、ディスク上にスパイラル状のランドトラックおよびグルーブトラックが設けられ、これらのトラックが複数のセクタに分割され、このセクタ毎に、映像や音声等のデータが順次記録されている。
【０００３】
【発明が解決しようとする課題】
しかしながら、従来の光ディスク等の記録メディアでは、映像や音声等のデータが順次記録されているので、これらのデータを再配置（編集）しようとすると、再配置する適当な場所が無く、データを再配置するのに長時間を要するという問題がある。
【０００４】
特に、本来連続している映像データがディスク上にランダム（バラバラ）に配置されている場合、前記半導体レーザのシーク時間が十分速くないと、半導体レーザがディスクにランダムアクセスして連続的に映像データを再生できないという問題がある。
【０００５】
本発明の目的は上述した従来の技術が有する課題を解消し、データ記録後、編集を要すデータの連続的な再生が行えるディスクデータ連続記録編集装置およびディスクデータ連続記録編集プログラムを提供することにある。
【０００６】
【課題を解決するための手段】
請求項１に記載の発明は、複数のセクタに区分けされているトラックを有するディスクにデータを連続的に記録し、編集するディスクデータ連続記録編集装置であって、前記データを記録する前記セクタ或いは前記トラックの、編集データ格納用の領域を設けつつ、前記データを記録するデータ記録手段と、前記データに追加のデータを付加後、前記データを編集するときに基準となるディスク上の特定場所として編集ポイントを設定し、この編集ポイントから所定時間内に再生可能な空白セクタ或いは空白トラックに編集ポイントに在るデータを複写して編集するデータ編集手段と、を備えたことを特徴とするディスクデータ連続記録編集装置に関するものである。
【０００７】
かかる構成によれば、データ記録手段によって、データを記録する際に、あらかじめ、編集する際に使用する編集データ格納用の領域が設けられ、データ編集手段によって編集する際に、この領域に編集するデータが複写される。
【０００８】
請求項２に記載の発明は、ディスクにデータを記録編集するために、コンピュータを、ディスク記録容量を把握するディスク容量把握手段、データを格納する分割領域であるセクタサイズを把握するセクタサイズ把握手段、記録するデータサイズを把握するデータサイズ把握手段、前記データを１つのセクタ内に分割データとして格納するときに、前記セクタ内に前記データを格納しない領域である空領域を設定し、前記ディスク記録容量および前記セクタサイズならびに前記データサイズに応じて、前記分割データの分割サイズおよび前記空領域のサイズを設定して、前記データを処理するデータ分割サイズ処理手段、前記分割データを前記セクタに記録する記録手段、前記分割データを編集するときに、前記空領域を利用して編集する編集手段、として機能させるディスクデータ連続記録編集プログラムに関するものである。
【０００９】
かかる構成によれば、データ分割サイズ処理手段によって、データをディスクに記録する際に、あらかじめ、編集する際に使用するセクタに空領域が設けられ、編集手段によってデータを編集する際に、このセクタの空領域を利用してデータが編集される。
【００１０】
【発明の実施の形態】
以下、本発明の一実施形態を図面に基づいて詳細に説明する。
（ディスクの概要）
まず、ディスクの概要を説明する。図１は記録フォーマットの方式の見地からディスク表面を模式的に図示したもので、図１（ａ）はＣＡＶ（Ｃｏｎｓｔａｎｔ  Ａｎｇｕｌａｒ  Ｖｅｌｏｃｉｙ：回転角一定）方式、図１（ｂ）はＣＬＶ（Ｃｏｎｓｔａｎｔ  Ｌｉｎｅａｒ  Ｖｅｌｏｃｉｔｙ：線速一定）方式におけるセクタの構成を示している。この図１に示すようにディスク１は、光ディスクであって、その表面にはディスク１の断面から見た場合に凸部に当たるランドと呼ばれる部分と、凹部に当たるグルーブと呼ばれる部分が形成されている。ランド部分およびグルーブ部分はディスク表面から見た場合にスパイラル状のトラックを形成している。それぞれのトラックをランドトラック３、グルーブトラック５とする。ランドトラック３およびグルーブトラック５によって２重のスパイラルが形成されている。
【００１１】
そして、ランドトラック３およびグルーブトラック５は、データを格納する領域である複数のセクタに分割されている。セクタの数はディスク１の種類によって異なっている。ディスクのセクタ数の種類は、例えば、ＤＶＤ−ＲＡＭ、ＤＶＤ−ＲＯＭ、ＣＤ、ＣＤ−Ｒ，ＣＤ−ＲＷ等である。
【００１２】
このランドトラック３およびグルーブトラック５のセクタ毎に、ひとかたまりのデータが格納される。ひとかたまりのデータとは、アドレスデータと情報データとが一体となったデータのことである。以下、ひとかたまりのデータを単にデータＤと記述する。このデータＤが複数集まって映像データや音楽データとなる。データＤにはそれぞれデータＤ１〜データＤＮといった具合に番号を付し、データＤが複数集まったものをデータＡＤ（Ａｌｌ  Ｄａｔａ）とする。
【００１３】
データＤは、０と１とのディジタル情報であって、セクタ毎に、半導体レーザ等によって、０と１との区別がつくように形成されたピットによって成り立っている。このピットは、微小の長さおよび微小の深さを有する窪みであり、一般的に、図面上には楕円形状の黒い点として模式的に描かれる。図２にＣＡＶの場合のディスク表面の状態を示す。
【００１４】
一般的なディスク１は直径１２ｃｍの円形で、厚さが１．２ｍｍであり、トラックピッチは、０．７４μｍであり、ピット長（最短ピット長）は０．４μｍである。
【００１５】
この実施の形態では、図２（ａ）に示すように、データＡＤをディスク１に記録する際にセクタＡ、セクタＣ、セクタＥといった具合に、一つのセクタおきにデータＤ１、データＤ２、データＤ３が格納される。
【００１６】
また、図２（ｂ）（ｃ）に示すように、ランドトラック３のみにデータＡＤを格納しておく。もちろん、グルーブトラック５のみにデータＡＤを格納してもよい。
【００１７】
或いは、図３に示すように、１つのセクタ内でデータＡＤを格納するセクタ（使用セクタ）と格納しないセクタとを区分けして、データＡＤを格納する。例えば、デフォルト（初期段階）では、１つのセクタ内で半分の領域についてデータＡＤを格納しない部分とする。つまり、図示したように、従来は１つのセクタ内をすべて使用してデータを格納していたが、ソフトウエアで適宜、データを格納する領域と格納しない領域（セクタの空領域）を変更するようにしてもよい。
【００１８】
この場合のソフトウエアは、請求項２に記載したディスクデータ連続記録編集プログラムの１つの実施形態に相当する。このプログラムの実施形態については、後記する。
【００１９】
（ディスクデータ連続記録編集装置）
次に、ディスクデータ連続記録編集装置の説明をする。
図４に示すようにディスクデータ連続記録編集装置７は、ディスク記録装置９と、データ配置管理装置１１と、再生時間計算装置１３と、編集装置１５とを備えて構成され、バス線で接続されている。請求項１に記載したデータ記録手段は、ディスク記録装置９と、データ配置管理装置１１と、編集装置１５とを組み合わせたものに相当し、データ編集手段は、データ配置管理装置１１と、再生時間計算装置１３と、編集装置１５とを組み合わせたものに相当する。
【００２０】
ディスク記録装置９は、高速に読み書きできるＲＡＭ或いはＨＤＤ等からなり、ディスク１に記録するデータＡＤを蓄積するものである。
【００２１】
データ配置管理装置１１は、ディスク１上のデータＤの配置を管理するものである。編集時には、編集ポイントＰを検出し、編集ポイントＰを設定するものである。このデータ配置管理装置１１では、データＤのアドレス情報とセクタの位置情報とを関連づけて記録する記録手段が備えられている。
【００２２】
再生時間計算装置１３は、編集装置１５によって設定された編集ポイントＰに在るデータＤが、このデータＤの直前のデータＤが格納されているセクタからアクセスするのに要する時間（再生時間）を計算するものである。この再生時間が、設定された再生単位時間より短ければ、データＤは、直前のデータＤと連続的に再生される（アクセスできる）セクタに在ると判断される。
【００２３】
編集装置１５は、ディスク回転駆動部と半導体レーザ駆動部と半導体レーザ照射部とを備えて構成され、ディスク１にデータＡＤの各データＤ１、Ｄ２、Ｄ３…ＤＮを半導体レーザ照射部のレーザ光を用いて書き込むものであり、編集時には、データ配置管理装置１１からの指示に従って編集ポイントＰに在るデータＤを複写して、データＤを指定されたセクタに書き込むものである。図２に示す破線Ｂで囲まれた部分を半導体レーザ照射部（ヘッド）がシークする（水平移動）。
【００２４】
この編集装置１５が、ディスクデータ連続記録編集装置７の制御を司り、表示手段（モニタ）を備えるパーソナルコンピュータ（ＰＣ）１７にデータ線を介して接続されている。
【００２５】
（ディスクデータ連続記録編集装置を用いた記録時の動作）
次に、ディスクデータ連続記録編集装置を用いた記録の動作を説明する。
ディスク１がブランクディスクである場合、ディスクデータ連続記録編集装置７は、ディスク記録装置９に蓄積されているデータＡＤを、どのようにディスク１に記録するかをバス線を介して、データ配置管理装置１１に伝達すると共に、編集装置１５にデータＡＤを送る。編集装置１５は、ディスク回転駆動部によってディスク１を回転させ、半導体レーザ駆動部によって半導体レーザ照射部をディスク１の回転方向に対しディスク１を横切るように直線動作をさせながら、半導体レーザ照射部によってレーザ光をディスク１の表面に照射する。
【００２６】
このレーザ光を照射する際に、図２に示したように、データＡＤの各データＤ１、Ｄ２、Ｄ３…ＤＮを、ランドトラック３或いはグルーブトラック５の外周に近いセクタ或いは内周に近いセクタから、１つおきのセクタに照射（記録）していく。つまり、円周方向に沿ってセクタに番号を付した場合、奇数セクタ或いは偶数セクタのみにレーザを照射してデータＤを記録する。
【００２７】
追加データｄがある場合には、追加データｄが頻繁に発生する場合を考慮して追加データｄを空いているセクタにランダムに記録していく。
【００２８】
（ディスクデータ連続記録編集装置を用いた編集時の動作）
次に、ディスクデータ連続記録編集装置を用いた編集の動作を図５のフローチャートを参照して説明する。
【００２９】
ＰＣ１７のユーザが、ディスクデータ連続記録編集装置７にディスク１をセットし、読み出すデータＤ（再生したいデータＤ）を指定する。すると、指定されたデータＤを読み出すための時間（ｍｓ）がＰＣ１７の表示手段（モニタ）に提示される。提示された時間が所定時間よりも長ければ、データＤの再配置（編集）を実施する。ここで所定時間とは、前記再生単位時間と読み出すデータＤのデータ数との積になる。すなわち、再生単位時間が１／４０ｓｅｃであり、読み出すデータＤの数が８０個である場合、所定時間は２ｓｅｃ（２秒）となる。
【００３０】
或いは、ディスク１上のすべてのデータＡＤを連続再生するためにデータＡＤの最適な配置を実行する命令を、ディスクデータ連続記録編集装置７にＰＣ１７（図４参照）を介して入力する。
【００３１】
すると、ディスクデータ連続記録編集装置７は、まず、データ配置管理装置１１によって編集ポイントＰを検出し、編集ポイントＰ（セクタ）を設定する（Ｓ１）。データＤに含まれるアドレスデータの小さいものから順にデータＤを検出し、アドレスデータ順にデータＤが連続的に配置されているかが確認され、連続していないところ（セクタ）が編集ポイントＰとなる。
【００３２】
次に、ＰＣ１７のユーザによって、ディスクデータ連続記録編集装置７の再生時間計算装置１３に、再生単位時間が入力され（Ｓ２）、この再生時間計算装置１３では、編集ポイントＰのセクタに格納されているデータＤの直前のデータＤが格納されているセクタから再生時間が計算される（Ｓ３）。
【００３３】
そして、計算された再生時間が、入力された再生単位時間内であるかどうかが判断され（Ｓ４）、再生単位時間内であれば、編集ポイントＰのセクタに格納されているデータＤは、そのまま変更なしとされる（Ｓ５）。
【００３４】
Ｓ３で、計算された再生時間が、入力された再生単位時間内でない場合には、編集ポイントＰのセクタに格納されているデータＤの直前のデータＤが格納されているセクタから再生単位時間内に再生できる位置（セクタ）を検索する（Ｓ６）。
【００３５】
検索した結果、再生単位時間内に再生できる位置（セクタ）があったかどうかが判断され（Ｓ７）、再生単位時間内に再生できる位置（セクタ）が無かった場合には、デリート（消去）してもかまわないデータＤがあるかどうかを判断する（Ｓ８）。デリート（消去）してもかまわないデータＤとは、別のセクタに複写されているデータＤであって、複写元のデータＤである。デリート（消去）してもかまわないデータＤがない場合には、再生単位時間の再入力をする（Ｓ２に戻る）。
【００３６】
デリート（消去）してもかまわないデータＤがある場合には、そのデータＤを消去する（Ｓ９）。
【００３７】
Ｓ７で再生単位時間内に再生できる位置に空のセクタがあった場合、デリート（消去）して再生単位時間内に再生できる位置に空のセクタにした場合には、編集ポイントにあるデータＤを複写し、再生できる位置（セクタ）に書き込む（Ｓ１０）。
【００３８】
そして、ディスク１上に、複写したデータＤが２カ所にあることを確認する（Ｓ１１）。
【００３９】
各データＤ１〜ＤＮが連続再生されるために、各データＤ１〜ＤＮに対し、以上の動作が順次、繰り返し実行される。
【００４０】
これによれば、データ記録手段（ディスク記録装置９と、データ配置管理装置１１と、編集装置１５）によって、データＤを記録する際に、あらかじめ、編集する際に使用する空のセクタが設けられ、データ編集手段（データ配置管理装置１１と、再生時間計算装置１３と、編集装置１５）によって、編集する際に、この空のセクタに編集するデータＤ（追加データｄ）が複写されるので、ディスク１にデータＡＤ記録後、編集を要す追加データｄがあった場合でも、読み出すデータＤ或いはデータＡＤを再生するときに、連続的な再生が行える。
【００４１】
すなわち、データＤの連続性が保証される。データＤの連続性とは所定時間よりも短い時間で必ず読み出すことができることであり、この実施の形態では、所定時間とは、前記再生単位時間と読み出すデータＤのデータ数との積で算出される時間である。
【００４２】
以上、一実施形態に基づいて本発明を説明したが、本発明はこれに限定されるものではない。
【００４３】
例えば、図６に示すようにランドトラック３の１つおきのセクタおよびグルーブトラック５の１つおきのセクタにデータＤを記録してもよい。或いは、図７に示すように、ランドトラック３のみの１つおきのセクタにデータ（ハッチング部）を記録してもよいし、図８に示すように特定の複数セクタを１つのブロックとしてデータ（ハッチング部）を記録してもいい。
【００４４】
これによれば、データを記録する際に、あらかじめ編集に使用する空のトラックおよびセクタが設けられ、編集する際には、この空のトラックおよびセクタに編集するデータが複写されるので、ディスクにデータを記録した後、編集を要す追加データがあった場合でも、読み出すデータ或いはすべてのデータの再生を、連続的に行うことができる。
【００４５】
（ディスクデータ連続記録編集プログラム）
このディスクデータ連続記録編集プログラムは、前記したもの、つまり、ディスク１上でデータＤを格納するセクタ或いはトラックをあらかじめ明確に区分けして、データＤを格納する場所をハードウエア的に分けるのではなく、１つのセクタ内で、空領域（データを格納しない領域）をソフトウエア的に予め設定するものである。
【００４６】
以下に記述するディスクデータ連続記録編集プログラムは、図９に示したパソコン（ＰＣ）１９の主制御装置（図示せず）に展開されている。図９において、１０７は従来のディスクデータ記録編集装置であり、ＰＣ１９とディスクデータ記録装置とがデータ線を介して接続されている。
【００４７】
ディスクデータ連続記録編集プログラムは、ディスク容量把握手段１９ａと、セクタサイズ把握手段１９ｂと、データサイズ把握手段１９ｃと、データ分割サイズ処理手段１９ｄと、記録手段１９ｅと、編集手段１９ｆとを含んで構成されている。
【００４８】
ディスク容量把握手段１９ａは、ディスク１の全体ディスク記録容量或いはディスク１に何らかのデータが蓄積されている場合には、蓄積されているデータのデータ量を除いて記録可能な容量を把握するプログラムである。
【００４９】
セクタサイズ把握手段１９ｂはデータＤを格納する分割領域であるセクタサイズを把握するプログラムである。
【００５０】
データサイズ把握手段１９ｃは記録するデータＤのデータサイズを把握するプログラムである。
【００５１】
データ分割サイズ処理手段１９ｄは、データＤを１つのセクタ内に分割データとして格納するときに、セクタ内にデータＤを格納しない領域である空領域を設定し、ディスク記録容量およびセクタサイズならびにデータサイズに応じて、分割データの分割サイズおよび空領域のサイズを設定して、前記データを処理するプログラムである。
【００５２】
記録手段１９ｅは分割データをセクタに記録するプログラムである。
【００５３】
編集手段１９ｆは分割データを編集するときに、空領域を利用して編集するプログラムである。
【００５４】
これによれば、データ分割サイズ処理手段１９ｄによって、データＤをディスク１に記録する際に、あらかじめ、編集する際に使用するセクタの空領域が設けられ、編集手段１９ｆによって編集する際に、このセクタの空領域を利用して編集されるので、データＤの再生時に連続性が保証される。また、従来のディスクデータ記録編集装置１０７をそのまま利用することができる。
【００５５】
【発明の効果】
請求項１記載の発明によれば、データ記録手段によって、データを記録する際に、あらかじめ、編集データ格納用の領域が設けられ、データ編集手段によって編集する際に、この編集データ格納用の領域に編集するデータが複写されるので、ディスクにデータ記録後、編集を要す追加データがあった場合でも、読み出すデータ或いはすべてのデータを再生するときに、連続的な再生が行える。
【００５６】
請求項２記載の発明によれば、データ分割サイズ処理手段によって、データをディスクに記録する際に、あらかじめ、編集する際に使用するセクタの空領域が設けられ、編集手段によって編集する際に、このセクタの空領域を利用して編集されるので、データを再生するときに連続的な再生が行える。
【図面の簡単な説明】
【図１】（ａ）  本発明の実施の形態において、ＣＡＶ方式で記録されたディスクを上部から見た説明図である。
（ｂ）  本発明の実施の形態において、ＣＬＶ方式で記録されたディスクを上部から見た説明図である。
【図２】（ａ）  ディスクにデータを書き込んだときの模式的な説明図である。
（ｂ）  ランドトラックのみにデータ記録した場合の要部を拡大した説明図である。
（ｃ）  図２（ｂ）を側面から見た説明図である。
【図３】データを記録する仕方を、従来と比較した説明図である。
【図４】本発明の実施の形態における装置の構成を示すブロック図である。
【図５】装置の動作を示すフローチャートである。
【図６】他の実施の形態であるディスクを上部から見た説明図である。
【図７】他の実施の形態であるディスクを上部から見た説明図である。
【図８】他の実施の形態であるディスクを上部から見た説明図である。
【図９】ディスクデータ連続記録編集プログラムの説明図である。
【符号の説明】
１  ディスク
３  ランドトラック
５  グルーブトラック
７  ディスクデータ連続記録編集装置
９  ディスク記録装置
１１  データ配置管理装置
１３  再生時間計算装置
１５  編集装置
１７、１９  パーソナルコンピュータ
１９ａ  ディスク容量把握手段
１９ｂ  セクタサイズ把握手段
１９ｃ  データサイズ把握手段
１９ｄ  データ分割サイズ処理手段
１９ｅ  記録手段
１９ｆ  編集手段
【図１】
0004059424.tif 000002
【図２】
0004059424.tif 000003
【図３】
0004059424.tif 000004
【図４】
0004059424.tif 000005
【図５】
0004059424.tif 000006
【図６】
0004059424.tif 000007
【図７】
0004059424.tif 000008
【図８】
0004059424.tif 000009
【図９】
0004059424.tif 000010